(57)【要約】【課題】各人のスケジュールに応じた情報を出力することができる電子機器を提供することである。【解決手段】実施形態の電子機器は、管理手段と、検出手段と、制御手段とを備える。前記管理手段は、個人識別情報に対応するスケジュールを管理する。前記検出手段は、入力情報から個人識別情報を検出する。前記制御手段は、検出された個人識別情報に対応するスケジュールに関するスケジュール関連情報の出力及びコンテンツの出力を制御する。【選択図】図１
2014211746.tif 000002
【特許請求の範囲】
【請求項１】
個人識別情報に対応するスケジュールを管理する管理手段と、
入力情報から個人識別情報を検出する検出手段と、
検出された個人識別情報に対応するスケジュールに関するスケジュール関連情報の出力及びコンテンツの出力を制御する制御手段と、
を備える電子機器。
【請求項２】
前記制御手段は、検出された個人識別情報に対応するスケジュールに含まれる時刻情報に基づきスケジュール関連情報の出力タイミングを制御する請求項１の電子機器。
【請求項３】
前記制御手段は、コンテンツの出力中に前記出力タイミングに達した場合に、前記出力タイミングでスケジュール関連情報を出力する請求項２の電子機器。
【請求項４】
前記制御手段は、前記コンテンツとともにスケジュール関連情報を出力する請求項１乃至３の何れか１つの電子機器。
【請求項５】
前記制御手段は、検出された個人識別情報に対応するスケジュールに設定されたコンテンツ出力制限情報に基づきコンテンツの出力を制限する請求項１乃至４の何れか１つの電子機器。
【請求項６】
前記制御手段は、コンテンツ出力制限情報に基づきコンテンツの出力を停止する請求項５の電子機器。
【請求項７】
出力されるコンテンツ及びスケジュール関連情報を表示する表示手段を備える請求項１乃至６の何れか１つの電子機器。
【請求項８】
前記検出手段は、入力される撮影画像から認識された人物に対応する個人識別情報を検出する請求項１乃至７の何れか１つの電子機器。
【請求項９】
前記検出手段は、入力される端末識別情報に対応する個人識別情報を検出する請求項１乃至８の何れか１つの電子機器。
【請求項１０】
日時情報及びエリア情報を含む気象情報を受信する受信手段を備え、
前記制御手段は、検出された個人識別情報に対応するスケジュールに含まれる日時情報及びエリア情報に基づき、関連する気象情報の出力を制御する請求項１乃至９の何れか１つの電子機器。
【請求項１１】
日時情報及びエリア情報を含む交通情報を受信する受信手段を備え、
前記制御手段は、検出された個人識別情報に対応するスケジュールに含まれる日時情報及びエリア情報に基づき、関連する交通情報の出力を制御する請求項１乃至１０の何れか１つの電子機器。
【請求項１２】
前記管理手段は、個人識別情報と情報通信端末のアドレスとに対応するスケジュールを管理し、
前記制御手段は、情報通信端末のアドレスに対してスケジュール関連情報を送信する請求項１乃至１１の何れか１つの電子機器。
【請求項１３】
前記制御手段は、個人識別情報の未検出の場合に、情報通信端末のアドレスに対してスケジュール関連情報を送信する請求項１２の電子機器。
【請求項１４】
前記検出手段は、外部機器で入力され外部機器から送信される入力情報を受信し、受信した入力情報から個人識別情報を検出し、
前記制御手段は、前記外部機器に対してスケジュール関連情報を送信する請求項１の電子機器。
【請求項１５】
個人識別情報に対応するスケジュールを管理し、
入力情報から個人識別情報を検出し、
検出された個人識別情報に対応するスケジュールに関するスケジュール関連情報の出力及びコンテンツの出力を制御する情報処理方法。
【請求項１６】
第１の電子機器は、個人識別情報に対応するスケジュールを管理し、
前記第１の電子機器に接続された第２の電子機器は、入力情報を受け取り、前記第１の電子機器に対して入力情報を送信し、
前記第１の電子機器は、入力情報を受信し、入力情報から個人識別情報を検出し、検出された個人識別情報に対応するスケジュールに関するスケジュール関連情報を前記第２の電子機器に対して送信し、
前記第２の電子機器は、スケジュール関連情報を受信し、受信したスケジュール関連情報を出力する情報処理方法。
【請求項１７】
個人識別情報に対応するスケジュールを管理する手順と、
入力情報から個人識別情報を検出する手順と、
検出された個人識別情報に対応するスケジュールに関するスケジュール関連情報の出力及びコンテンツの出力を制御する手順と、をコンピュータに実行させるための情報処理プログラム。
【発明の詳細な説明】
【技術分野】
【０００１】
本発明の実施形態は、電子機器、情報処理方法、及び情報処理プログラムに関する。
【背景技術】
【０００２】
ユーザは、デジタルＴＶ等の電子機器により、様々なコンテンツを楽しむことができる。例えば、ユーザが、コンテンツの視聴に夢中になり、予定時刻を超過してコンテンツを視聴してしまうことがある。このような事態の防止策の１つとして、ユーザはアラーム等を利用することが考えられる。
【先行技術文献】
【特許文献】
【０００３】
【特許文献１】特開２００４−３３４５８５号公報
【発明の概要】
【発明が解決しようとする課題】
【０００４】
しかしながら、ユーザの行動パターンは日や時間帯によって異なり、その都度、スケジュールに合わせてアラームを設定するのは面倒である。また、ユーザによって行動パターンが異なるなど、アラーム等の利用では、簡単に上記事態を防止することができない。
【０００５】
本発明の目的は、各人のスケジュールに応じた情報を出力することができる電子機器、情報処理方法、及び情報処理プログラムを提供することである。
【課題を解決するための手段】
【０００６】
実施形態の電子機器は、管理手段と、検出手段と、制御手段とを備える。前記管理手段は、個人識別情報に対応するスケジュールを管理する。前記検出手段は、入力情報から個人識別情報を検出する。前記制御手段は、検出された個人識別情報に対応するスケジュールに関するスケジュール関連情報の出力及びコンテンツの出力を制御する。
【図面の簡単な説明】
【０００７】
【図１】第１の実施形態に係るコンテンツ再生装置（電子機器）の概略構成の一例を示すブロック図である。
【図２】第１の実施形態に係るスケジュール通知の一例を示すフローチャートである。
【図３】第１の実施形態に係るスケジュールデータベースに記憶されるスケジュールデータベースの一例を示す図である。
【図４Ａ】第１の実施形態に係る付加情報の出力例を示す図である。
【図４Ｂ】第２の実施形態に係る付加情報の出力例を示す図である。
【図５】第２の実施形態に係るコンテンツ再生装置（電子機器）の概略構成の一例を示すブロック図である。
【図６】第３の実施形態に係る情報処理システムの概略構成の一例を示すブロック図である。
【図７】第１の実施形態に係るスケジュール通知の初期設定画面の一例を示す図である。
【発明を実施するための形態】
【０００８】
以下、複数の実施形態について図面を参照して説明する。
【０００９】
図１は、第１の実施形態に係るコンテンツ再生装置（電子機器）の概略構成の一例を示すブロック図である。図１に示すコンテンツ再生装置１は、例えば、放送コンテンツを受信し、放送コンテンツを再生することができるデジタルＴＶである。なお、デジタルＴＶは、放送コンテンツに限らず、ネットワーク配信コンテンツを受信し、ネットワーク配信コンテンツを再生することもできるし、ハードディスク等に記録された記録コンテンツを再生することもでき、また、放送コンテンツをハードディスク等に記録することもできる。或いは、図１に示すコンテンツ再生装置１は、各種メディアに格納されたコンテンツを再生するメディアプレーヤであってもよい。或いは、図１に示すコンテンツ再生装置１は、各種コンテンツを記録したり、再生したりすることができるデジタルレコーダであってもよい。つまり、コンテンツ再生装置１は、コンテンツ再生機能を備える電子機器であれば、携帯端末であっても良い。以下、コンテンツ再生装置１がデジタルＴＶであると仮定し説明する。
【００１０】
図１に示すように、コンテンツ再生装置１は、受信部１０２、デジタル復調部１０３、ＭＰＥＧ処理部１０４、出力部１０５、システム制御部１０６、操作部１０７、スピーカ１０８、ディスプレイ１０９、視聴者情報入力部１１０、視聴者認識部１１１、スケジュール管理部１１２、時刻取得部１１３、付加情報生成部１１４、付加情報出力制御部１１５、視聴者データベースＤ１、スケジュールデータベースＤ２を備える。
【００１１】
受信部１０２は、アンテナ１０１からの放送信号を受信し、ＩＦ(中間周波数)信号に変換し、デジタル復調部１０３へ出力する。デジタル復調部１０３は、ＩＦ信号からデジタル信号（ＴＳ：トランスポートストリーム）を抽出し、ＭＰＥＧ処理部１０４に出力する。ＭＰＥＧ処理部１０４は、ＴＳを映像、音声、およびＥＰＧ表示用のＳＩ（Service Information）に分離し、映像・音声データをデコードする。出力部１０５は、デコードされた映像・音声データをディスプレイ１０９およびスピーカ１０８に出力し、ディスプレイは映像データに基づく映像を表示し、スピーカ１０８は音声データに基づく音声を出力する。
【００１２】
システム制御部１０６は、各部の動作を統括的に制御するための処理部である。例えば、システム制御部１０６は、操作部１０７からの入力（制御コマンド）を受信し、入力に従い各部の動作を統括的に制御する。例えば、操作部１０７は、リモートコントローラであってもよいし、タブレットＰＣ、スマートフォン等の情報通信端末であってもよい。例えば、制御コマンドとしては、テレビ放送（放送コンテンツ）の再生を指示するコマンド、コンテンツの記録を指示するコマンド、及び記録済みコンテンツの再生等を指示するコマンドである。
【００１３】
視聴者情報入力部１１０は、特開２００７−８１６７７号公報に記載のような視聴者の映像を撮影するカメラであっても良いし、特開平８−９２８２号公報に記載のような個人識別機能を有するリモートコントローラ（個人識別ＩＤを出力するリモートコントローラ）であっても良い。また、視聴者情報入力部１１０は、視聴者の指紋を読み取る読取部であってもよいし、タブレットＰＣ、スマートフォン等の情報通信端末からの端末識別情報又は個人識別ＩＤを受信する通信部であっても良い。
【００１４】
視聴者情報入力部１１０がカメラの場合、視聴者情報入力部１１０は、入力情報として撮影画像（生体情報）を入力する。視聴者情報入力部１１０がリモートコントローラの場合、視聴者情報入力部１１０は、入力情報として個人識別ＩＤ等を入力する。視聴者情報入力部１１０が読取部の場合、視聴者情報入力部１１０は、視聴者の指紋を読み取り、入力情報として指紋読取情報を入力する。視聴者情報入力部１１０が通信部の場合、視聴者情報入力部１１０は、入力情報として端末識別情報又は個人識別ＩＤ等を入力する。
【００１５】
例えば、視聴者情報入力部１１０がカメラの場合、視聴者データベースＤ１は、予め視聴者の撮像画像から顔特徴量を抽出した特徴情報（生体特徴情報）と、個人識別ＩＤ（個人識別情報）とを記憶（事前登録）する。つまり、視聴者データベースＤ１は、個人識別ＩＤに対応する特徴情報を記憶（事前登録）する。これにより、視聴者データベースＤ１に基づき、視聴者情報入力部１１０から入力される視聴者（の特性情報）に対応する、登録済みの個人識別ＩＤを特定することができる。即ち、視聴者情報入力部１１０は、撮影画像を視聴者認識部１１１へ出力し、視聴者認識部１１１は、撮影画像から視聴者の顔画像を検出し、視聴者の顔画像から顔特徴量を抽出した特徴情報を解析する。視聴者認識部１１１は、抽出した特徴情報と、視聴者データベースＤ１に記憶（事前登録）された特徴情報とを照合し、視聴者を特定する。つまり、視聴者認識部１１１は、視聴者に対応する個人識別ＩＤを検出し、視聴者を特定することができる。
【００１６】
また、視聴者情報入力部１１０がリモートコントローラの場合、視聴者データベースＤ１は、少なくとも個人識別ＩＤを記憶（事前登録）する。これにより、視聴者データベースＤ１に基づき、視聴者情報入力部１１０から入力される視聴者の個人識別ＩＤが登録済みか否か判定することができる。
【００１７】
また、視聴者情報入力部１１０が入力部の場合、視聴者データベースＤ１は、視聴者データベースＤ１は、予め視聴者の指紋から指紋特徴量を抽出した特徴情報（生体特徴情報）と、個人識別ＩＤ（個人識別情報）とを記憶（事前登録）する。つまり、視聴者データベースＤ１は、個人識別ＩＤに対応する特徴情報を記憶（事前登録）する。これにより、視聴者データベースＤ１に基づき、視聴者情報入力部１１０から入力される視聴者（の特性情報）に対応する、登録済みの個人識別ＩＤを特定することができる。
【００１８】
また、視聴者情報入力部１１０が通信部の場合、視聴者データベースＤ１は、個人識別ＩＤに対応する端末識別情報を記憶（事前登録）する。或いは、視聴者データベースＤ１は、個人識別ＩＤを記憶する。これにより、視聴者データベースＤ１に基づき、視聴者情報入力部１１０から入力される端末識別情報に対応する、登録済みの個人識別ＩＤを特定することができる。或いは、視聴者データベースＤ１に基づき、視聴者情報入力部１１０から入力される視聴者の個人識別ＩＤが登録済みか否か判定することができる。
【００１９】
一方、スケジュール管理部１１２は、操作部１０７から個人別（個人識別ＩＤ別）のスケジュール情報を受け取り、スケジュールデータベースＤ２が、受け取ったスケジュール情報と個人識別ＩＤとを記憶する。つまり、スケジュールデータベースＤ２は、個人識別ＩＤに対応するスケジュール情報を記憶する。例えば、スケジュール情報は少なくとも時刻情報（又は日時情報）を含む。また、スケジュール情報は時刻情報（又は日時情報）に加えてエリア情報を含むこともある。或いは、スケジュール管理部１１２は、ネットワークを介して、タブレットＰＣ、スマートフォン等の情報通信端末から個人別（個人識別ＩＤ別）のスケジュール情報を受け取っても良い。
【００２０】
図３は、スケジュールデータベースＤ２に記憶されるスケジュールデータベースの一例を示す図である。スケジュールデータベースは、個人別（個人識別ＩＤ別）のスケジュール情報を管理する。例えば、スケジュール情報は、時刻情報、繰り返し設定、スケジュール関連情報、出力方式（映像／音声）、出力位置・サイズ、視聴継続可否（コンテンツ出力制限情報）を含む。
【００２１】
スケジュール管理部１１２は、視聴者認識部１１１により検出された視聴者に対応する個人識別ＩＤ、及び時刻取得部１１３により取得される現在時刻を受け取り、受け取った個人識別ＩＤ及び現在時刻に対応するスケジュール情報が登録されているか否かを確認する。
【００２２】
例えば、システム制御部１０６が、コンテンツの再生を制御しているときに（コンテンツの再生の検出中に）、スケジュール管理部１１２が、視聴者認識部１１１により検出された個人識別ＩＤ（０００１／ユーザＡ）及び現在時刻（０７：４５）を受け取り、個人識別ＩＤ（０００１／ユーザＡ）及び現在時刻（０７：４５）に対応するスケジュール情報が登録されていることを確認すると、そのスケジュール情報に含まれたスケジュール関連情報（学校に行く時間だよ。）の出力を付加情報出力制御部１１５へ指示する。
【００２３】
付加情報出力制御部１１５は、スケジュールデータベースＤ２等に設定されたスケジュール情報に含まれたスケジュール関連情報、出力方式、及び出力位置・サイズに基づき、音声または映像による付加情報の生成を付加情報生成部１１４に指示する。付加情報生成部１１４は、スケジュールデータベースＤ２等に設定されたスケジュール情報に含まれたスケジュール関連情報、出力方式、及び出力位置・サイズに基づき、音声または映像による付加情報を生成する。出力部１０５は、生成された付加情報をオリジナル（コンテンツ）の映像または音声に合成して出力する。
【００２４】
例えば、付加情報出力制御部１１５は、スケジュール情報に含まれたスケジュール関連情報（学校に行く時間だよ。）、出力方式（映像）、及び出力位置・サイズ（中央／画面３０％）に基づく付加情報の生成を付加情報生成部１１４に指示し、付加情報生成部１１４は、スケジュール関連情報（学校に行く時間だよ。）、出力方式（映像）、及び出力位置・サイズ（中央／画面３０％）に基づく付加情報を生成する。また、付加情報出力制御部１１５は、スケジュール情報に含まれた時刻（０７：４５）に基づき付加情報の出力タイミングを制御し、出力部１０５は、付加情報出力制御部１１５による出力タイミング（０７：４５）で、生成された付加情報をオリジナル（コンテンツ）の映像または音声に合成して出力する。これにより、例えば、ディスプレイ１０９は、スケジュール情報に含まれた時刻（０７：４５）から一定時間にわたり、図４Ａに示す合成映像を表示する。
【００２５】
なお、スケジュール関連情報にユーザ名Ａを追加登録することにより、ユーザ名Ａを含む付加情報を出力（表示）することもできる。
【００２６】
また、システム制御部１０６は、スケジュール情報に含まれた視聴継続可否に基づき、コンテンツの再生を制御する。例えば、図４Ａに示す合成映像が一定時間にわたり出力された後、システム制御部１０６は、スケジュール情報に含まれた視聴継続可否（ＯＫ）に基づき、コンテンツの再生を継続する。
【００２７】
或いは、システム制御部１０６が、コンテンツの再生を制御しているときに（コンテンツの再生の検出中に）、スケジュール管理部１１２が、視聴者認識部１１１により検出された個人識別ＩＤ（０００２／ユーザＢ）及び現在時刻（０８：００）を受け取り、個人識別ＩＤ（０００２／ユーザＢ）及び現在時刻（０８：００）に対応するスケジュール情報が登録されていることを確認すると、そのスケジュール情報に含まれたスケジュール関連情報（８：００＿出社する時間です。傘を持って行きましょう。）の出力を付加情報出力制御部１１５へ指示する。
【００２８】
例えば、付加情報出力制御部１１５は、そのスケジュール情報に含まれたスケジュール関連情報（８：００＿出社する時間です。傘を持って行きましょう。）、出力方式（映像）、及び出力位置・サイズ（右下／画面１０％）に基づく付加情報の生成を付加情報生成部１１４に指示し、付加情報生成部１１４は、スケジュール関連情報（８：００＿出社する時間です。傘を持って行きましょう。）、出力方式（映像）、及び出力位置・サイズ（右下／画面１０％）に基づく付加情報を生成する。また、付加情報出力制御部１１５は、スケジュール情報に含まれた時刻（０８：００）に基づき付加情報の出力タイミングを制御し、出力部１０５は、付加情報出力制御部１１５による出力タイミング（０８：００）で、生成された付加情報をオリジナル（コンテンツ）の映像または音声に合成して出力する。これにより、例えば、ディスプレイ１０９は、スケジュール情報に含まれた時刻（０８：００）から一定時間にわたり、図４Ｂに示す合成映像を表示する。
【００２９】
なお、スケジュール関連情報にユーザ名Ｂを追加登録することにより、ユーザ名Ｂを含む付加情報を出力（表示）することもできる。
【００３０】
また、システム制御部１０６は、スケジュール情報に含まれた視聴継続可否に基づき、コンテンツの再生を制御する。例えば、図４Ｂに示す合成映像が一定時間にわたり出力された後、システム制御部１０６は、スケジュール情報に含まれた視聴継続可否（ＯＫ）に基づき、コンテンツの再生を継続する。
【００３１】
以上の構成により、スケジュールに関わる視聴者本人が予定していた時刻（スケジュールの時刻）に視聴を行っている場合、スケジュール関連情報を視聴者へ分かりやすい形態で通知することが可能となる。
【００３２】
図２は、第１の実施形態に係るスケジュール通知の一例を示すフローチャートである。
【００３３】
例えば、システム制御部１０６が、スケジュール通知の設定情報を管理し、設定情報に従い、スケジュール通知の実行を制御する。図７は、スケジュール通知の初期設定画面の一例を示す図である。例えば、ユーザは、操作部１０７を介して、初期設定画面に対して、スケジュールを通知する／通知しないを設定することができる。以下、全てのスケジュールを通知するように設定されたケースについて説明する。
【００３４】
システム制御部１０６が、コンテンツの再生を制御しているときに（コンテンツの再生の検出中に）、スケジュール管理部１１２は、スケジュールデータベースＤ２に、現在時刻から規定時間内に開始すべきスケジュールが登録されているかを判定する(Ｓ２０１)。現在時刻から規定時間内に開始すべきスケジュールが登録されていない場合は(Ｓ２０１、ＮＯ)、システム制御部１０６は、コンテンツの再生を継続する(Ｓ２０６)。
【００３５】
現在時刻から規定時間内に開始すべきスケジュールが登録されている場合(Ｓ２０１、ＹＥＳ)、例えば、図３のスケジュールデータベースには、時刻情報（０７：４５）を含むスケジュール情報が登録されており、時刻情報（０７：４５）の規定時間前の時刻に到達すると、視聴者認識部１１１が視聴者を認識し(Ｓ２０２)、視聴者に対応する個人識別ＩＤを検出し、スケジュール管理部１１２に検出した個人識別ＩＤを通知する。
【００３６】
スケジュール管理部１１２は、時刻情報（０７：４５）を含むスケジュール情報に含まれた個人識別ＩＤと、受け取った個人識別ＩＤとを比較する。時刻情報（０７：４５）を含むスケジュール情報に含まれた個人識別ＩＤと、受け取った個人識別ＩＤとが一致しない場合、つまり、スケジュール対象者と視聴者が一致しない場合(Ｓ２０３、ＮＯ)、システム制御部１０７は、コンテンツの再生を継続する(Ｓ２０６)。スケジュール対象者と視聴者が一致する場合(Ｓ２０３、ＹＥＳ)、スケジュール管理部１１２は、そのスケジュール情報に含まれたスケジュール関連情報（学校に行く時間だよ。）の出力を付加情報出力制御部１１５へ指示し、付加情報生成部１１４がそのスケジュール情報に含まれたスケジュール関連情報（学校に行く時間だよ。）等に基づき、付加情報画像（又は付加情報音声）を生成する(Ｓ２０４)。
【００３７】
スケジュール情報に含まれた時刻情報（０７：４５）が示す時刻に到達するまでは(Ｓ２０５、ＮＯ)、コンテンツが再生され(Ｓ２０６)、スケジュール情報に含まれた時刻情報（０７：４５）が示す時刻に到達し(Ｓ２０５、ＹＥＳ)、スケジュール情報に含まれた視聴継続可否により視聴継続が許可される場合は(Ｓ２０７、ＹＥＳ)、付加情報出力制御部１１５の制御により、出力部１０５が、生成された付加情報をオリジナル（コンテンツ）の映像または音声に合成して出力する(Ｓ２０９)。スケジュール情報に含まれた視聴継続可否により視聴継続が許可されない場合は(Ｓ２０７、ＮＯ)、システム制御部１０６は、コンテンツの再生を停止し、付加情報出力制御部１１５の制御により、出力部１０５が、生成された付加情報を出力する(Ｓ２０８)。
【００３８】
さらに、システム制御部１０６が視聴者による操作部１０７からの応答を検出するまで、スケジュール管理部１１２がスケジュール対象者と視聴者との不一致を検出するまで、あるいはスケジュール管理部１１２が別途の新規のスケジュールの予定時刻を検出するまでは、Ｓ２０７、Ｓ２０８、及びＳ２０９の処理を繰り返し実行する。
【００３９】
システム制御部１０６が視聴者による操作部１０７からの応答を検出(Ｓ２１０、ＹＥＳ)、スケジュール管理部１１２がスケジュール対象者と視聴者との不一致を検出、あるいはスケジュール管理部１１２が別途の新規のスケジュールの予定時刻を検出した場合、付加情報出力制御部１１５は、付加情報の出力を停止し(Ｓ２１１)、コンテンツの再生、または次のスケジュール通知処理へ移行する。もしくは視聴者応答に応じた処理を開始する。
【００４０】
図５は、第２の実施形態に係るコンテンツ再生装置（電子機器）の概略構成の一例を示すブロック図である。図５に示すコンテンツ再生装置１は、デジタルＴＶ、デジタルプレーヤ、又はデジタルレコーダ等の電子機器である。第２の実施形態に係るコンテンツ再生装置１と第１の実施形態に係るコンテンツ再生装置１とは多くの部分で共通するので、第２の実施形態に係るコンテンツ再生装置１の構成のうち、第１の実施形態に係るコンテンツ再生装置１と異なる構成を中心に説明する。
【００４１】
図５に示すように、第２の実施形態に係るコンテンツ再生装置１は、通信制御部１１６を備える。
【００４２】
通信制御部１１６は、通信ネットワーク１１７を介して、天気情報（気象情報）や交通情報等を受信する。また、受信部１０２が、放送信号から、天気情報（気象情報）や交通情報等を受信してもよい。例えば、天気情報は、日時情報（４／２０）及びエリア情報（東京）を含む。同様に、交通情報は、日時情報（４／２０）及びエリア情報（東京）を含む。
【００４３】
また、スケジュールデータベースＤ２のスケジュール情報が、日時情報及びエリア情報を含む場合、コンテンツ再生装置１は、受信される天気情報及び交通情報に含まれる日時情報及びエリア情報を利用し、スケジュールに対応した天気情報及び交通情報を出力（表示）することが可能となる。つまり、スケジュール関連情報とともに、スケジュールに対応した天気情報及び交通情報を出力（表示）することが可能となる。
【００４４】
例えば、コンテンツ再生装置１の付加情報出力制御部１１５は、日時情報（４／２０）及びエリア情報（東京）を含むスケジュール情報と、日時情報（４／２０）及びエリア情報（東京）を含む天気情報（雨）に基づき、スケジュール関連情報とともに、雨具の必要性を案内することができる。或いは、コンテンツ再生装置１の付加情報出力制御部１１５は、日時情報（４／２０）及びエリア情報（東京）を含むスケジュール情報と、日時情報（４／２０）及びエリア情報（東京）を含む天気情報（最高気温５度）に基づき、スケジュール関連情報とともに、防寒具の必要性を案内することができる。つまりコンテンツ再生装置１は、視聴者にとってより有益な情報を提供することができる。
【００４５】
さらに、通信制御部１１６は、通信ネットワーク１１７を介して直接的又は間接的に、タブレットＰＣ、スマートフォン等の情報通信端末と通信することができる。また、スケジュールデータベースＤ２は、情報通信端末のメールアドレス及び電話番号等のうちの少なくとも一つの連絡先情報を記憶する。つまり、スケジュールデータベースＤ２は、個人識別ＩＤ、スケジュール情報、及び連絡先情報を対応付けて記憶（事前登録）する。
【００４６】
上記の構成により、通信制御部１１６は、スケジュールデータベースＤ２に基づき、連絡先情報へ付加情報を送信することができる。例えば、コンテンツ再生装置１は、個人識別ＩＤ（０００１／ユーザＡ）を検出し、個人識別ＩＤ（０００１／ユーザＡ）に対応する付加情報の出力タイミングで付加情報を（ディスプレイ１０９に表示）するとともに、個人識別ＩＤ（０００１／ユーザＡ）に対応する連絡先情報にも付加情報を出力（送信）することができる。また、コンテンツ再生装置１は、個人識別ＩＤ（０００１／ユーザＡ）が検出され、個人識別ＩＤ（０００１／ユーザＡ）に対応する付加情報の出力タイミングで付加情報を出力（ディスプレイ１０９に表示）するとともに、個人識別ＩＤ（０００２／ユーザＢ）に対応する連絡先情報にも付加情報を出力（送信）することができる。さらに、コンテンツ再生装置１は、個人識別ＩＤ（０００１／ユーザＡ）が検出され、個人識別ＩＤ（０００１／ユーザＡ）に対応する付加情報の出力タイミングで付加情報を出力（ディスプレイ１０９に表示）するとともに、個人識別ＩＤ（０００１／ユーザＡ）に対応する連絡先情報と個人識別ＩＤ（０００２／ユーザＢ）に対応する連絡先情報にも付加情報を出力（送信）することができる。
【００４７】
また、上記構成により、コンテンツ再生装置１は、個人識別ＩＤ（０００１／ユーザＡ）に対応する付加情報の出力タイミングで、個人識別ＩＤ（０００１／ユーザＡ）が検出されない場合、個人識別ＩＤ（０００１／ユーザＡ）の視聴者が検出されない場合に、個人識別ＩＤ（０００１／ユーザＡ）に対応する連絡先情報に付加情報を出力（送信）することもできる。或いは、コンテンツ再生装置１は、個人識別ＩＤ（０００１／ユーザＡ）に対応する付加情報の出力タイミングで、個人識別ＩＤ（０００１／ユーザＡ）が検出されない場合、個人識別ＩＤ（０００１／ユーザＡ）の視聴者が検出されない場合に、個人識別ＩＤ（０００２／ユーザＢ）に対応する連絡先情報に付加情報を出力（送信）することもできる。或いは、コンテンツ再生装置１は、個人識別ＩＤ（０００１／ユーザＡ）に対応する付加情報の出力タイミングで、個人識別ＩＤ（０００１／ユーザＡ）が検出されない場合、個人識別ＩＤ（０００１／ユーザＡ）の視聴者が検出されない場合に、個人識別ＩＤ（０００１／ユーザＡ）に対応する連絡先情報と個人識別ＩＤ（０００２／ユーザＢ）に対応する連絡先情報に付加情報を出力（送信）することもできる。
【００４８】
更に、システム制御部１０６が、付加情報の通知（スケジュール通知）に対する視聴者（例えば子供）からの適切な応答（コンテンツの再生停止操作など）が無いことを検出した場合に、通信制御部１１６が、指定された連絡先情報（親の連絡先情報）に適切な応答が無いことを連絡するようにしても良い。これにより、例えば、子供が「宿題の時間だよ。」というメッセージを無視してコンテンツを視聴し続けた場合に、親にコンテンツの視聴が継続されている旨を示すメールを送信することができる。親がコンテンツ再生装置１から離れた場所にいても、親は子供の状況を知ることができる共に、子供にとってもスケジュールを守り易くなる。また、本実施形態のコンテンツ再生装置１は、遠隔地に住む祖父母の様子を見守るといった目的でも利用できる。
【００４９】
図６は、第３の実施形態に係る情報処理システムの概略構成の一例を示すブロック図である。図６に示す情報処理システムは、複数台のコンテンツ再生装置のネットワーク接続により構成することができる。以下、説明を分かり易くするためにコンテンツ再生装置１ａと１ｂがネットワーク接続されるケースについて説明する。例えば、コンテンツ再生装置１ａは１階に設置され、コンテンツ再生装置１ｂは２階に設置される。
【００５０】
コンテンツ再生装置１ａ及び１ｂは、例えば図５に示すコンテンツ再生装置１と同様に構成することができる。コンテンツ再生装置１ａとコンテンツ再生装置１ｂを同じ構成にする場合、コンテンツ再生装置１ａの視聴者データベースＤ１ａ及びスケジュールデータベースＤ２ａに記憶されるデータと、コンテンツ再生装置１ｂの視聴者データベースＤ１ｂ及びスケジュールデータベースＤ２ｂに記憶されるデータは同じデータである。つまり、視聴者データベースＤ１ａ及びスケジュールデータベースＤ２ａのデータ、及び視聴者データベースＤ１ｂ及びスケジュールデータベースＤ２ｂにのデータは、定期的に同期化される。
【００５１】
なお、コンテンツ再生装置１ｂの構成を簡略化することもできる。例えば、コンテンツ再生装置１ｂの構成から、視聴者認識部１１１ｂ、スケジュール管理部１１２ｂ、視聴者データベースＤ１ｂ、スケジュールデータベースＤ２ｂ、付加情報生成部１１４ｂを省略するようにしても良い（図６参照）。この場合、コンテンツ再生装置１ａの視聴者認識部１１１ａが、視聴者データベースＤ１ａに基づき視聴者を認識し（視聴者に対応する個人識別ＩＤを検出し）、また、コンテンツ再生装置１ａのスケジュール管理部１１２ａが、スケジュールデータベースＤ２に基づき、検出された個人識別ＩＤに対応するスケジュール情報を読み出す。
【００５２】
以下、コンテンツ再生装置１ａと簡略化された構成のコンテンツ再生装置１ｂによるスケジュール通知の一例について説明する。例えば、子供が２階に設置されたコンテンツ再生装置１ｂでコンテンツを視聴する場合、即ち、コンテンツ再生装置１ｂのシステム制御部１０６ｂが、コンテンツの再生を制御しているときに（コンテンツの再生の検出中に）、コンテンツ再生装置１ｂの通信制御部１１６ｂは、コンテンツ再生装置１ｂの視聴者情報入力部１１０ｂ（例えばカメラ）により得られる撮影画像をネットワークを介してコンテンツ再生装置１ａへ送信する。
【００５３】
コンテンツ再生装置１ａの通信制御部１１６ａは、ネットワークを介して撮影画像を受信し、コンテンツ再生装置１ａの視聴者認識部１１１ａは、視聴者データベースＤ１ａ及び撮影画像に基づき視聴者に対応する個人識別ＩＤを検出し、コンテンツ再生装置１ａのスケジュール管理部１１２ａは、スケジュールデータベースＤ２ａに基づき、検出された個人識別ＩＤに対応するスケジュール情報を読み出し、コンテンツ再生装置１ａの付加情報出力制御部１１５ａが、検出した個人識別ＩＤに対応するスケジュール情報に基づく付加情報を出力し、また、コンテンツ再生装置１ａのシステム制御部１０６ａは、検出した個人識別ＩＤに対応するスケジュール情報に含まれた視聴継続可否に基づきコンテンツの再生継続可否を制御する制御信号を出力する。コンテンツ再生装置１ａの通信制御部１１６ａは、ネットワークを介して付加情報及び制御信号をコンテンツ再生装置１ｂへ出力（送信）する。
【００５４】
コンテンツ再生装置１ｂの通信制御部１１６ｂは、ネットワークを介して付加情報及び制御信号を受け取り、システム制御部１０６ｂが、コンテンツの再生を制御していれば（コンテンツ再生中であれば）、コンテンツ再生装置１ｂのディスプレイ１０９ｂが、付加情報を表示する。さらに、コンテンツ再生装置１ａのシステム制御部１０６ａは、コンテンツ再生装置１ａからの制御信号に従い、コンテンツの再生を制御する。例えば、コンテンツの再生継続を許可しない制御信号であれば、コンテンツ再生装置１ａのシステム制御部１０６ａは、コンテンツの再生を停止する。
【００５５】
上記構成により、例えば、視聴者が２階に設定されたコンテンツ再生装置１ｂでコンテンツを再生している場合に、１階に設置されたコンテンツ再生装置１ａが、視聴者データベースＤ１ａ及びスケジュールデータベースＤ２ａに基づき、２階に設定されたコンテンツ再生装置１ｂへ視聴者に対応する付加情報を送信し、視聴者に知らせることができる。複数台のコンテンツ再生装置をネットワークで接続し、例えば１台のコンテンツ再生装置が視聴者データベースＤ１ａ及びスケジュールデータベースＤ２ａを管理すれば、どのコンテンツ再生装置も視聴者に対応する付加情報を出力（表示）することができる。
【００５６】
以上説明した各実施形態についてまとめる。
【００５７】
実施形態に係るコンテンツ再生装置は、視聴者の個人識別ＩＤに対応するスケジュール情報を管理し、入力情報から視聴者に対応する個人識別ＩＤを検出し、検出された個人識別ＩＤに対応するスケジュール情報に基づきスケジュール関連情報の出力を制御し、また、コンテンツの再生を制御する。
【００５８】
例えば、コンテンツ再生装置は、コンテンツの再生中に視聴者（個人識別ＩＤ）を検出すると、検出した個人識別ＩＤに対応するスケジュール情報に含まれた時刻情報に基づく出力タイミングで、検出した個人識別ＩＤに対応するスケジュール情報に含まれたスケジュール関連情報を出力（表示／送信）し、コンテンツの再生を制御する。
【００５９】
例えば、視聴者が、コンテンツ再生装置によりスケジュールされた予定時刻までコンテンツの視聴を継続していると、コンテンツ再生装置がそのスケジュールに関連する情報（時刻やスケジュール内容）を出力し、コンテンツ再生装置はコンテンツの再生を停止する。このように、コンテンツ再生装置は、コンテンツ視聴中のユーザに対して、タイムリーにスケジュールに関連する情報を表示することができる。
【００６０】
上記構成により、例えば、予め登録された子供の登校時刻や就寝時刻以降に子供が視聴者として認識されている間は、現在視聴中の再生を中断、或いはすべての子供向け番組の再生を許可しないよう視聴制限を行うことにより、子供の登校や就寝をより効果的にアシストすることが可能となる。この場合、コンテンツ再生装置１のスケジュールデータベースＤ２のスケジュール情報が子供向けコンテンツの再生を許可しない視聴制限を含み、システム制御部１０６が、再生中のコンテンツのジャンル（子供向け）を検出した場合に、子供向けコンテンツの再生を停止することができる。
【００６１】
更に、コンテンツ再生装置１は、データ放送等により天気情報や交通情報等を別途取り込み、その情報をスケジュール通知と併せて出力することにより、例えば出発時に傘や防寒着の持ち忘れを防止できる等、視聴者にとってより有益な情報提供が可能となる。
【００６２】
更に、コンテンツ再生装置１は、スケジュール対象者が視聴中でないことが判明した場合には、予め登録された情報端末の連絡先へスケジュール関連情報等を通知することもできる。
【００６３】
更に、コンテンツ再生装置１は、スケジュール通知に対する視聴者からの適切な応答（コンテンツの再生停止操作など）が無いことを検出した場合には、例えば、子供が「宿題の時間だよ。」というメッセージを無視してテレビを見続けた場合に、親にコンテンツの視聴が継続されている旨を示すメールを送信することができる。
【００６４】
なお、上記処理（スケジュール通知等）の手順は全てソフトウェアによって実行することが可能である。このため、上記処理の手順を実行するプログラムを格納したコンピュータ読み取り可能な記憶媒体を通じてこのプログラムを通常のコンピュータにインストールして実行するだけで、上記処理を容易に実現することができる。
【００６５】
例えば、コンテンツ再生装置１は、コンピュータ読み取り可能な記憶媒体から上記プログラムを読み取り、読み取ったプログラムを記憶し、プログラムのインストールを完了することができる。
【００６６】
或いは、コンテンツ再生装置１は、通信制御部１１６等を介して、上記プログラムをダウンロードし、ダウンロードしたプログラムを記憶し、プログラムのインストールを完了することができる。これにより、上記コンピュータに相当するコンテンツ再生装置１は、インストールされた上記プログラムに基づき、上記処理を容易に実現することができる。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１…コンテンツ再生装置、１０２…受信部、１０３…デジタル復調部、１０４…ＭＰＥＧ処理部、１０５…出力部、１０６…システム制御部、１０７…操作部、１０８…スピーカ、１０９…ディスプレイ、１１０…視聴者情報入力部、１１１…視聴者認識部、１１２…スケジュール管理部、１１３…時刻取得部、１１４…付加情報生成部、１１５…付加情報出力制御部、Ｄ１…視聴者データベース、Ｄ２…スケジュールデータベース
【図１】
2014211746.tif 000003
【図２】
2014211746.tif 000004
【図３】
2014211746.tif 000005
【図４Ａ】
2014211746.tif 000006
【図４Ｂ】
2014211746.tif 000007
【図５】
2014211746.tif 000008
【図６】
2014211746.tif 000009
【図７】
2014211746.tif 000010